(57)【特許請求の範囲】
【請求項１】
空調された空気が吹出される空気吹出し口に設けられ、且つ駆動手段によって駆動されることによって前記空気吹出し口から吹出される空気の吹出し方向を変化させる空調装置のルーバーであって、前記ルーバーの長手方向中央領域における長手方向に垂直な断面形状は円弧で構成し、外側領域における長手方向に垂直な断面形状は円弧と直線とで構成されていることを特徴とする空調装置のルーバー。
【請求項２】
空調された空気が吹出される空気吹出し口に設けられ、且つ駆動手段によって駆動されることによって前記空気吹出し口から吹出される空気の吹出し方向を変化させる空調装置のルーバーであって、前記ルーバーの長手方向に垂直な断面形状は円弧状であって、前記ルーバーの長手方向外側領域における曲率半径は長手方向中央領域における曲率半径よりも大きいことを特徴とする空調装置のルーバー。
【請求項３】
上記ルーバーの長手方向に垂直な断面形状は、上記ルーバーの長手方向の中央領域から外側領域にかけて徐々に変化していることを特徴とする請求項１又は２に記載の空調装置のルーバー。
【請求項４】
空調された空気が吹出される空気吹出し口に設けられ、且つ駆動手段によって駆動されることによって前記空気吹出し口から吹出される空気の吹出し方向を変化させる空調装置のルーバーであって、前記空気吹出し口の開口部に設けられた土手部の長手方向における外側部との距離が、当該土手部の長手方向における中央部との距離よりも大きくなるように、前記ルーバーは、その長手方向に向かって少なくとも１の折り曲げ部を有していることを特徴とする空調装置のルーバー。
【請求項５】
さらに、上記空気吹出し口の開口部に設けられた土手部の長手方向における外側部との距離が、当該土手部の長手方向における中央部との距離よりも大きくなるように、前記ルーバーは、その長手方向に向かって少なくとも１の折り曲げ部を有していることを特徴とする請求項１〜３のいずれか１項に記載の空調装置のルーバー。
【請求項６】
上記ルーバーは、コード長を一定としたことを特徴とする請求項１〜５のいずれか１項に記載の空調装置のルーバー。
【請求項７】
空調された空気が吹出す空気吹出し口の開口部に設けられた土手部は、前記土手部の長手方向の外側部における水平方向に対する傾き角度を前記土手部の長手方向の中央部における傾き角度よりも大きくし、さらに、請求項１〜６のいずれか１項に記載の空調装置のルーバーを空気吹出し口に備えたことを特徴とする空調装置の気流制御構造。
【請求項８】
さらに、請求項１〜６のいずれか１項に記載の空調装置のルーバーを空気吹出し口に備えたことを特徴とする空調装置。
【請求項９】
さらに、請求項７に記載の空調装置の気流制御構造を備えたことを特徴とする空調装置。
【発明の詳細な説明】
【０００１】
【発明の属する技術分野】
本発明は、空調装置に関し、さらに詳しくは、空調装置の空気吹出し口から吹き出す空気を室内空間にまんべんなく行き渡らせることができるようにした空調装置のルーバー及び空調装置の気流制御構造、並びに空調装置に関する。
【０００２】
【従来の技術】
空調装置の吹出口に取付けられる風向偏向制御板であるルーバーは、例えば、特開平７−３２４８０２号公報に示すようなものが知られている。図１２は、特開平７−３２４８０２号公報に開示されたルーバーを示す斜視図である。このルーバー９１４は、天井埋込型の空調装置９００の吹出口９０９ｂに備えられるものであり、このルーバー９１４の短手方向に垂直な断面は、当該ルーバー９１４の長手方向に向かって同じ形状となっている。また、ルーバー９１４の水平方向両側におけるフィンサイド部９１４ｂの前端縁部を切り欠くことによって、水平方向中央におけるフィンセンタ部９１４ａの前端縁部よりも後退させる。
【０００３】
特に、冷房運転時においては、フィンセンタ部９１４ａに案内される空調済空気は水平方向に向かって吹き出され、フィンサイド部９１４ｂに案内される空調済空気は下方に向かって吹き出される。このように、この空調装置９００はフィンサイド部９１４ｂにおける空調済空気の吹出し方向のみを下向きに偏向させて、空調装置９００の運転状態に応じた吹出し方向を得ながら天井面の汚れを回避するものである。
【０００４】
【発明が解決しようとする課題】
ところで、上記従来例に係るルーバー９１４は、天井面の汚れを防止することを意図したものであり、吹出し流の広がりを考慮したものではなかった。また、上記従来例に係るルーバー９１４によって風向きを偏向されて室内空間に吹出される吹出し流の厚さは、吹出口９０９ｂの開口厚さと同程度にしかならない。このため、吹出口９０９ｂから吹出される空気を室内空間へまんべんなく行き渡らせ難かった。
【０００５】
そこで、本発明は、上記に鑑みてなされたものであって、空調装置の空気吹出し口から吹出される空気を室内空間へまんべんなく行き渡らせること、空調装置の空気吹出し口から吹出される空気を室内空間へ迅速に行き渡らせること、のうち少なくとも一つを達成できる空調装置のルーバー及び空調装置の気流制御構造、並びに空調装置を提供することを目的とする。
【０００６】
【課題を解決するための手段】
上述の目的を達成するために、本発明に係る空調装置のルーバーは、空調された空気が吹出される空気吹出し口に設けられ、且つ駆動手段によって駆動されることによって前記空気吹出し口から吹出される空気の吹出し方向を変化させる空調装置のルーバーであって、このルーバーの長手方向に垂直な断面形状は、前記ルーバーの長手方向の中央領域と外側領域とで異なることを特徴とする。
【０００７】
この空調装置のルーバーは、長手方向に垂直な断面形状をルーバーの長手方向の中央領域と外側領域とで異ならせている。また、この異ならせ方は、請求項２に係る空調装置のルーバーのように、前記ルーバーの長手方向中央領域における長手方向に垂直な断面形状は円弧で構成し、外側領域における長手方向に垂直な断面形状は円弧と直線とで構成してもよい。なお、この場合には、ルーバーの外側領域においては長手方向に垂直な断面が円弧に形成された方の縁（後縁）から空調済空気が流れ込み、長手方向に垂直な断面が直線で構成された方の縁（前縁）から室内側へ流れ出る。このような構成によって、ルーバーの長手方向における外側領域と中央領域とでは、空調済空気は異なる吹出し角度で室内へ流れ出るので、室内のより広い範囲へまんべんなく空調済空気を行き渡らせることができる。また、吹出し角度の異なる空調済空気の吹出し流が干渉することによって、室内へ吹出す空調済空気の広がりを早めることができる。その結果、空調済空気を室内の広い範囲へまんべんなく、迅速に行き渡らせることができる。なお、この空調装置のルーバーを備えた空調装置でも同様の作用・効果を奏する。
【０００８】
また、次の本発明に係る空調装置のルーバーのように、前記ルーバーの長手方向に垂直な断面形状は円弧状であって、前記ルーバーの長手方向外側領域における曲率半径は長手方向中央領域における曲率半径よりも大きくしてもよい。このように、長手方向にわたって断面が円弧状に形成されているため、空調済空気は上記ルーバーよりもさらに滑らかに、ルーバーの表面に沿って流れる。これによって、上記ルーバーよりもさらに気流の剥離を抑制できるので、空調済空気がルーバーを通過する際の圧力損失はさらに低減できる。その結果、空調済空気がルーバーを通過する際の圧力損失をさらに低減できるので、室内のより広い範囲へ空調済空気を行き渡らせることができる。なお、この空調装置のルーバーを備えた空調装置でも同様の作用・効果を奏する。
【０００９】
また、次の本発明に係る空調装置のルーバーは、前記空調装置のルーバーにおいて、上記ルーバーの長手方向に垂直な断面形状は、上記ルーバーの長手方向の中央領域から外側領域にかけて徐々に変化していることを特徴とする。このため、断面形状を急に変化させた場合に発生する断面形状が急に変化する部分における吹出し流の乱れがほとんど発生しないので、吹出し流の圧力損失を低減できる。これによって、室内のより広い範囲へ空調済空気を行き渡らせることができる。なお、この空調装置のルーバーを備えた空調装置でも同様の作用・効果を奏する。
【００１０】
また、次の本発明に係る空調装置のルーバーは、空調された空気が吹出される空気吹出し口に設けられ、且つ駆動手段によって駆動されることによって前記空気吹出し口から吹出される空気の吹出し方向を変化させる空調装置のルーバーであって、前記空気吹出し口の開口部に設けられた土手部の長手方向における外側部との距離が、当該土手部の長手方向における中央部との距離よりも大きくなるように、前記ルーバーは、その長手方向に向かって少なくとも１の折り曲げ部を有していることを特徴とする。
【００１１】
このような構成とすることによって、ルーバーと土手部との距離が小さい空気吹出し口の中央部よりも、ルーバーと土手部との距離が大きい空気吹出し口の外側部の方へより多くの空調済空気が流れる。その結果、空気吹出し口の長手方向における吹き出し流の流速分布をより一定にできるので、室内のより広い範囲へまんべんなく空調済空気を行き渡らせることができる。また、次の本発明に係る空調装置のルーバーのように、前記空調装置のルーバーを組み合わせても、同様の効果を奏する。なお、この空調装置のルーバーを備えた空調装置でも同様の作用・効果を奏する。
【００１２】
また、次の本発明に係る空調装置のルーバーは、前記空調装置のルーバーにおいて、上記ルーバーは、コード長を一定としたことを特徴とする。このため、ルーバーの長手方向に垂直な断面の形状を中央領域と外側領域とで異ならせても、ルーバーの重量増加を抑えることができる。これによって、ルーバーを駆動する動力を小さくできるので、空調装置全体でみれば、それだけ消費電力を抑えることができる。また、コード長を一定とすることで、ルーバーの長手方向において断面形状を異ならせてもルーバーの重量バランスを良好にできるので、ルーバーを滑らかに動かすことができる。さらに、コード長を一定とすれば、ルーバーの長手方向に対して吹出し流が一様に流れるので、吹出し流の流れる方向を制御しやすくなる。なお、これら空調装置のルーバーを備えた空調装置でも同様の作用・効果を奏する。
【００１３】
また、次の本発明に係る空調装置の気流制御構造は、空調された空気が吹出す空気吹出し口の開口部に設けられた土手部は、前記土手部の長手方向の外側部における水平方向に対する傾き角度を前記土手部の長手方向の中央部における傾き角度よりも大きくしたことを特徴とする。
【００１４】
これによって、空気吹出し口から吹出される空調済空気は、空気吹出し口の長手方向にわたって異なる角度の吹出し流となって室内へ吹出すことになる。また、土手部の長手方向における外側部とルーバーとの距離は、土手部の長手方向における中央部とルーバーとの距離よりも大きい。さらに、土手部の長手方向における外側部においては、吹出し流の流れ方向に対するルーバーと土手部との距離変化も少ない。このため、空気吹出し口の中央部よりも外側部の方へ空調済空気が流れやすくなるので、空気吹出し口の長手方向における空調済空気の流速分布をより一定にできる。
【００１５】
これらの作用によって、室内のより広い範囲へまんべんなく空調済空気を行き渡らせることができる。さらに吹出し角度の異なる吹出し流が干渉することによって、室内へ吹出す空調済空気の広がりを早めることができる。なお、この空調装置の気流制御構造を備えた空調装置でも同様の作用・効果を奏する。ここで、空気吹出し口の土手部とは、空気吹出し流路が曲がり部を有している場合における曲がり部の内側部分をいう。
【００１６】
また、次の本発明に係る空調装置の気流制御構造のように、この空調装置の気流制御構造には、前記空調装置の気流制御用ルーバーを空気吹出し口に備えてもよい。このようにすると、ルーバーとの組み合わせによって空調済空気の吹出し特性を変えることができるので、空調設計の自由度を高くできる。なお、この空調装置の気流制御構造を備えた空調装置でも同様の作用・効果を奏する。
【００１７】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。なお、本発明が適用できる空調装置の種類は問わないが、特に天井埋め込み型の空調装置に本発明は適する。
【００１８】
（実施の形態１）
図１は、この発明の実施の形態１に係る空調装置の気流制御構造を示す平面図である。また、図２は、図１のＸ−Ｘ線矢視の断面図である。図１及び図２に示すように、室内空気は天井面Ｔに設置された空調装置１００の空気吸込口１５から矢印Ｉ方向へ吸込まれる。そして、空調装置１００内の熱交換器１０１を通過して温度調節された空気は、吹出し流Ｓとなってルーバー２０が取付けられた空気吹出し口１２へ向かって流れる。なお、熱交換器１０１には、室外機（図示せず）で温度調整された伝熱媒体が送られており、これによって室内空気の温度を調整する。
【００１９】
ここで、この発明の実施の形態１に係る空調装置のルーバーについて説明する。図３は、この発明の実施の形態１に係る空調装置のルーバーを示す説明図である。この空調装置のルーバー２０は、当該ルーバー２０の長手方向に垂直な断面形状が、前記ルーバー２０の長手方向における中央領域２０ｃと外側領域２０ｏとで異なるようにした点に特徴がある。
【００２０】
図３（ｃ）に示すように、このルーバー２０の長手方向における中央領域２０ｃの断面形状は円弧状に形成されており、その曲率角度はθ１である。ここで、曲率角度とは、曲率半径ｒを一定にした場合における中心角をいう。また、図３（ｂ）及び（ｄ）に示すように、このルーバー２０の長手方向における外側領域２０ｏの断面形状は、円弧部分２０ｍと直線部分２０ｓとを組み合わせた形状に形成されており、円弧部分の曲率角度はθ２である。ここで、θ２はθ２≦θ１×２／３に設定することが好ましい。この範囲より大きいと、中央領域２０ｃと外側領域２０ｏとにおける断面形状の相違が十分に表れず、吹出し流Ｓ'及びＳ''の吹出し方向が十分に相違しないからである。一方、この範囲であれば、外側領域２０ｏにおける吹出し流Ｓ''の吹出し方向が明確に規定でき、また、中央領域２０ｃにおける吹出し流Ｓ'の吹出し方向と異なる方向に規定できる。このように、中央領域２０ｃと外側領域２０ｏとにおける吹出し流の吹出し方向を明確に異なる方向に規定できるので、気流の拡散効果を十分に発揮できる。
【００２１】
なお、ルーバー２０の長手方向全長にわたりコード長Ｃは一定であり、コード長Ｃを一定とすることによって、ルーバー２０の長手方向に垂直な断面の形状を中央領域２０ｃと外側領域２０ｏとで異ならせても、そうでないルーバー２０と比較して重量は増加しない。これによって、ルーバー２０を駆動する動力を小さくできるので、空調装置１００全体でみれば、それだけ消費電力を抑えることができる。また、ルーバー２０を駆動するモーターにそれ程出力の大きなものを使用しなくてもよいので、空調装置１００の製造コストも低減できる。さらに、コード長Ｃを一定とすることで、ルーバー２０の重量バランスが良好になるので、ルーバー２０の動きが滑らかになる。また、コード長Ｃを一定とすれば、ルーバー２０の長手方向に対して吹出し流が一様に流れるので、吹出し流の流れる方向を制御しやすくなる。なお、当該ルーバー２０のコード長Ｃと空気吹出し口厚さＤ（図３参照）との関係は、Ｃ≧０．５×Ｄが好ましい（以下同様）。コード長Ｃをこの範囲とすると、ルーバー２０により二分割される風路幅Ｄ'（＝Ｄ／２）とコード長Ｃとの比Ｄ'／Ｃが１以下となる。このように設定することで、風路の曲がり損失を低減させることができる。また、ルーバー２０のコード長Ｃとは、ルーバー２０の長手方向に対して垂直な断面内において、ルーバー２０の前縁２０ｌと後縁２０ｔとを結ぶ最短距離Ｃをいう。
【００２２】
ここで、中央領域２０ｃの長さはＬＬ2であり、外側領域２０ｏの長さはＬＬ1である。そして、ルーバー２０の長手方向における長さをＬＬ（＝２×ＬＬ1＋ＬＬ2）とする。このとき、ＬＬ1≦ＬＬ／５の場合には、外側領域２０ｏからの吹出し流Ｓ''が中央領域２０ｃからの吹出し流Ｓ'と略同様の流れとなってしまう。また、ＬＬ／３≦ＬＬ1の場合には、中央領域２０ｃからの吹出し流Ｓ'が外側領域２０ｏからの吹出し流Ｓ''と略同様の流れとなってしまう。その結果、吹出し流Ｓ'及びＳ''の干渉を十分に利用できなくなり、部屋全体へ迅速に空気を行き渡らせ難くなってしまい、空気の届く場所に偏り生じてしまう。したがって、ＬＬ1の長さはＬＬ／５≦ＬＬ1≦ＬＬ／３の範囲が好ましい。
【００２３】
なお、ルーバー２０の長手方向における端部２０ｅからＬＬ1離れた位置で、ルーバー２０の断面形状が変化するが、断面形状はこの位置で急に変化させてもよい。また、この位置で外側領域２０ｏの断面形状と中央領域２０ｃの断面形状との中間の形状になるように、断面形状を徐々に変化させてもよい。断面形状を徐々に変化させると、急に変化させた場合に発生する断面形状が急に変化する部分における吹出し流Ｓの乱れがほとんど発生しないので、吹出し流Ｓの圧力損失を低減できる。これによって、室内Ｅのより広い範囲へ空調済空気を行き渡らせることができる。
【００２４】
図３（ｂ）〜（ｄ）に示すように、温度調整された空調済空気の吹出し流Ｓはルーバー２０の後縁２０ｔから流れ込む。ルーバー２０の中央領域２０ｃの後縁２０ｔから流れ込んだ吹出し流Ｓは、ルーバー２０の中央領域２０ｃに表面に沿って流れる。ルーバー２０の中央領域２０ｃにおける断面は曲率角度θ１の円弧状に形成されているので、これによって前記吹出し流Ｓは進行方向が変えられた後、吹出し流Ｓ'となってルーバー２０の中央領域２０ｃの前縁２０ｌから流れ出る。
【００２５】
また、ルーバー２０の外側領域２０ｏの後縁２０ｔから流れ込んだ吹出し流Ｓは、ルーバー２０の外側領域２０ｏに表面に沿って流れる。ルーバー２０の外側領域２０ｏにおける断面は曲率角度θ２の円弧状に形成されているので、これによって前記吹出し流Ｓは進行方向が変えられた後、吹出し流Ｓ''となってルーバー２０の外側領域２０ｏの前縁２０ｌから流れ出る。なお、ルーバー２０の外側領域２０ｏにおける断面は円弧と直線とで構成されているので、吹出し流Ｓ''は吹出し流Ｓ'と異なる角度で流れ出ることになる。
【００２６】
図４は、この発明の実施の形態１に係る空調装置の気流制御構造を示す拡大図である。上述したように、ルーバー２０の後縁２０ｔから流れ込んだ吹出し流Ｓは、ルーバー２０の中央領域２０ｃと外側領域２０ｏとで、それぞれ異なる吹出し角度で室内Ｅへ流れ出る。これによって、空気吹出し口１２から吹出される空調済空気は、空気吹出し口１２の長手方向にわたって異なる角度の吹出し流Ｓ'及びＳ''となって室内Ｅへ吹出すことになる。なお、ルーバー２０はモーター等の駆動手段（図示せず）によって図中矢印Ｂ方向へ往復して、空調済空気の吹出し角度を変化させる。
【００２７】
また、図４に示すように、空気吹出し口１２に近い部分では、空気吹出し口１２の土手部１２ｄとルーバー２０の外側領域２０ｏとの距離の方が、土手部１２ｄとルーバー２０の中央領域２０ｃとの距離よりも大きい。したがって、空気吹出し口１２においては、空調済空気の吹出し流速が遅くなりやすい空気吹出し口１２の外側部１２ｏ（図１参照）に、空気吹出し口１２の中央部１２ｃ（図１参照）からより多くの空調済空気が流れる。これによって、空気吹出し口１２の長手方向における空調済空気の流速分布をより一定にできる。
【００２８】
また、このルーバー２０は、外側領域２０ｏの断面が円弧と直線とで構成されているため、空調済空気はルーバー２１の表面に沿って滑らかに流れる。これによって、従来のような単にルーバー９１４の水平方向両側におけるフィンサイド部９１４ｂの前端縁部を切り欠いたもの（図１２参照）で生じていた、切り欠き部における気流の剥離を抑制できるので、空調済空気がルーバー２１を通過する際の圧力損失を低減できる。
【００２９】
この空調装置１００の気流制御構造５０では、これらの相互作用によって、室内Ｅのより広い範囲へまんべんなく空調済空気を行き渡らせることができる。また、吹出し角度の異なる吹出し流Ｓ'及びＳ''同士が干渉することによって、室内Ｅへ吹出す空調済空気の広がりを早めることができる。その結果、この空調装置１００の気流制御構造５０によれば、空調済空気を室内の広い範囲へまんべんなく、迅速に行き渡らせることができる。もちろん、従来のルーバー９１４と同様に、天井の汚れを防止できる効果も奏する（以下同様）。
【００３０】
（実施の形態２）
図５は、この発明の実施の形態２に係る空調装置のルーバーを示す説明図である。また、図６は、この発明の実施の形態２に係る空調装置の気流制御構造を示す拡大図である。この空調装置の気流制御構造５１は、上記実施の形態１に係る空調装置の気流制御構造５０（図１等参照）と略同一の構成であるが、ルーバー２１の長手方向に垂直な断面形状を円弧状とし、ルーバー２１の長手方向の外側領域２１ｏにおける曲率半径ｒ２を、ルーバー２１の長手方向の中央領域２１ｃにおける曲率半径ｒ１よりも大きくした点が異なる。その他の構成は実施の形態１と同様なのでその説明を省略するとともに、同一の構成要素には同一の符号を付する。
【００３１】
図５（ｂ）〜（ｄ）に示すように、このルーバー２１の中央領域２１ｃ及び外側領域２１ｏにおける断面形状は円弧状となっている。そして、図５（ｃ）に示すように、中央領域２１ｃにおける円弧は曲率半径ｒ１であり、図５（ｂ）及び（ｃ）に示すように、外側領域２１ｏにおける円弧の曲率半径はｒ２である。ここで、外側領域２１ｏにおける曲率半径ｒ２の方が、中央領域２１ｃにおける曲率半径ｒ１よりも大きく設定してある。
【００３２】
図５（ｂ）〜（ｄ）に示すように、温度調整された空調済空気の吹出し流Ｓがルーバー２１の後縁２１ｔから流れ込む。ルーバー２１の中央領域２１ｃの後縁２１ｔから流れ込んだ吹出し流Ｓは、ルーバー２１の中央領域２１ｃの表面に沿って流れる。ルーバー２１の中央領域２１ｃにおける断面は曲率半径ｒ１の円弧状に形成されているので、これによって前記吹出し流Ｓは進行方向が変えられる。そして、吹出し流Ｓ'となってルーバー２１の中央領域２１ｃの前縁２１ｌから流れ出る。
【００３３】
また、ルーバー２１の外側領域２１ｏの後縁２１ｔから流れ込んだ吹出し流Ｓは、ルーバー２１の外側領域２１ｏに表面に沿って流れる。ルーバー２１の外側領域２１ｏにおける断面は曲率半径ｒ２の円弧状に形成されているので、これによって前記吹出し流Ｓは進行方向が変えられた後、吹出し流Ｓ''となってルーバー２１の外側領域２１ｏの前縁２１ｌから流れ出る。ここで、ルーバー２１の外側領域２１ｏにおける断面の曲率半径ｒ２は、中央領域２１ｃにおける曲率半径ｒ１よりも大きいので、吹出し流Ｓ''は吹出し流Ｓ'とは異なる角度で流れ出ることになる。
【００３４】
図６に示すように、ルーバー２１の後縁２１ｔから流れ込んだ吹出し流Ｓは、ルーバー２１を通過する間に吹出し流Ｓ'及びＳ''となる。そして、吹出し流Ｓ'及びＳ''は、ルーバー２１の中央領域２１ｃと外側領域２１ｏとでそれぞれ異なる吹出し角度となって室内Ｅへ流れ出る。これによって、空気吹出し口１２から吹出される空調済空気は、空気吹出し口１２の長手方向の中央領域２１ｃと外側領域２１ｏとで異なる角度の吹出し流Ｓ'及びＳ''となって室内Ｅへ吹出すことになる。
【００３５】
また、ルーバー２１の中央領域２１ｃと外側領域２１ｏとでは、外側領域２１ｏにおける曲率半径ｒ２の方が大きい。したがって、空気吹出し口１２の近傍においては、空気吹出し口１２の土手部１２ｄとルーバー２１の外側領域２１ｏとの距離の方が、土手部１２ｄとルーバー２１の中央領域２１ｃとの距離よりも大きくなる。これによって、空気吹出し口１２の外側部１２ｏ（図１参照）からより多くの空調済空気が流れ出るので、空気吹出し口１２の長手方向における空調済空気の流速分布をより一定にできる。これらの相互作用によって、室内Ｅのより広い範囲へまんべんなく空調済空気を行き渡らせることができる。
【００３６】
また、吹出し角度の異なる吹出し流Ｓ'とＳ''とが干渉することによって、室内Ｅへ吹出す空調済空気の広がりを早めることができる。その結果、この空調装置の気流制御構造５１によれば、空調済空気を室内の広い範囲へまんべんなく、迅速に行き渡らせることができる。さらに、実施の形態２に係るルーバー２１は、長手方向にわたって断面が円弧状に形成されているため、空調済空気は実施の形態１に係るルーバー２０よりもさらに滑らかに、ルーバー２１の表面に沿って流れる。これによって、実施の形態１に係るルーバー２０よりもさらに気流の剥離を抑制できるので、空調済空気がルーバー２１を通過する際の圧力損失はさらに低減できる。また、断面円弧状に形成したルーバー２１の中央領域２１ｃと外側領域２１ｏとで円弧の曲率半径を変えるだけなので、製造が比較的容易である。
【００３７】
なお、ルーバー２１における断面形状の変化のさせ方は、実施の形態１で説明した方法が適用できる。また、ルーバー２１の外側領域２１ｏ及び中央領域２１ｃの距離ＬＬ1及びＬＬ2の関係についても実施の形態１で説明したものが適用できる。さらに、コード長Ｃの長さについても、実施の形態１で説明した範囲が適用できる。
【００３８】
（実施の形態３）
図７は、本発明の実施の形態３に係る空調装置のルーバーを示す説明図である。また、図８は、本発明の実施の形態３に係る空調装置の気流制御構造の説明図である。図７（ａ）に示すように、このルーバー２２は、その長手方向中央部に設けられた折り曲げ部２２ｖで断面略Ｖ字状に折り曲げられている。そして、この空調装置の気流制御構造５２では、ルーバー２２と空気吹出し口１２の開口部に設けられた土手部１２ｄの長手方向における外側部１２ｏとの距離が、ルーバー２２と土手部１２ｄの長手方向における中央部１２ｃとの距離よりも大きくなるようにしてある。
【００３９】
この空調装置の気流制御構造５２は、上記構成をとることによって空気吹出し口１２の中央部１２ｃよりも外側部１２ｏの方へより多くの空調済空気が流れるので、空気吹出し口１２の長手方向における吹き出し流Ｓ'及びＳ''の流速分布をより一定にできる。これによって、室内Ｅのより広い範囲へまんべんなく空調済空気を行き渡らせることができる。また、吹出し角度の異なる吹出し流Ｓ'及びＳ''同士が干渉することによって、室内Ｅへ吹出す空調済空気の広がりを早めることができる。なお、実施の形態３に係るルーバー２２に、実施の形態１又は２に係るルーバー２０又は２１を適用してもよい。このようにしても、上記作用・効果を奏することができる。
【００４０】
（変形例）
図９は、実施の形態３の変形例に係る空調装置のルーバーを示す説明図である。この空調装置のルーバー２３は、実施の形態３に係る空調装置のルーバー２２と略同様の構成であるが、ルーバー２３の長手方向に向かって二箇所に折り曲げ部２３ｖを設けた点に特徴がある。このようにしても、空気吹出し口１２（図８参照）の長手方向全体にわたって吹き出し流Ｓ'及びＳ''の流速分布を一定にできるので、室内Ｅのより広い範囲へまんべんなく空調済空気を行き渡らせることができる。また、吹出し角度の異なる吹出し流Ｓ'及びＳ''同士が干渉することによって、室内Ｅへ吹出す空調済空気の広がりを早めることができる。
【００４１】
なお、ルーバー２３の端部２３ｅから折り曲げ部２３ｖまでの距離をＬＬ1、ルーバー２３の全長をＬＬとする。このとき、ＬＬ1≦ＬＬ／５の場合には、外側領域２０ｏからの吹出し流Ｓ''が中央領域２０ｃからの吹出し流Ｓ'と略同様の流れとなってしまう。また、ＬＬ／３≦ＬＬ1の場合には、中央領域２０ｃからの吹出し流Ｓ'が外側領域２０ｏからの吹出し流Ｓ''と略同様の流れとなってしまう。その結果、吹出し流Ｓ'及びＳ''の干渉を十分に利用できなくなり、部屋全体へ迅速に空気を行き渡らせ難くなってしまい、空気の届く場所に偏り生じてしまう。したがって、ＬＬ1の長さはＬＬ／５≦ＬＬ1≦ＬＬ／３の範囲が好ましい。
【００４２】
また、ルーバー２３の折り曲げ部２３ｖは二箇所に限られず、空気吹出し口１２の構造や風量の大きさ等といった空調装置の仕様によって折り曲げ部の個数は適宜選択できる。また、折り曲げ角γについても同様である。
【００４３】
図１０は、実施の形態３の他の変形例に係るルーバーを示したルーバーの短手方向に垂直な断面図である。同図に示すように、ルーバー２４の短手方向に垂直な断面形状を緩やかな円弧状としてもよい。このようにしても、空気吹出し口１２（図８参照）の長手方向における吹き出し流Ｓ'及びＳ''の流速分布をより一定にできるので、室内Ｅのより広い範囲へまんべんなく空調済空気を行き渡らせることができる。
【００４４】
（実施の形態４）
図１１は、本発明の実施の形態４に係る空調装置の気流制御構造を示す説明図である。上記空調装置の気流制御構造５０等（図１参照）では、ルーバー２０等の構造を工夫することによって空調済空気の気流を制御していた。この空調装置の気流制御構造５３は、空気吹出し口１３に設けられた土手部１３ｄの長手方向における外側部１３ｄｏの水平方向に対する傾き角度αを、長手方向における中央部１３ｄｃの傾き角度βよりも大きくしてある。そして、これによって、空気吹出し口１３の長手方向の外側部１３ｄｏにおける吹出し空気流の圧力損失が、中央部１３ｄｃにおける損失よりも低減されるようにした点に特徴がある。
【００４５】
図１１に示すように、空気吹出し口１３の土手部１３ｄの長手方向における中央部１３ｄｃは、水平方向（図中一点鎖線Ｈで示す方向）に対してβの傾き角度を持っている。また、土手部１３ｄの長手方向における外側部１３ｄｏは、水平方向に対してαの傾き角度をもっており、α＞βとなっている。また、図１１からは明らかではないが、土手部１３ｄの中央部１３ｄｃから外側部１３ｄｏにかけては、土手部１３ｄの水平方向に対する傾き角度は、徐々にβからαへと変化している。ここで、空気吹出し口１３の土手部とは、空気吹出し流路１４が曲がり部１４ｂを有している場合における曲がり部１４ｂの内側部分をいう。
【００４６】
この空調装置の気流制御構造５３では、土手部１３ｄの中央部１３ｄｃにおける傾き角度βと外側部１３ｄｏにおける傾き角度αとが異なっている。このため、空調済空気の吹出し流Ｓは、空気吹出し口１３の中央部と外側部とでそれぞれ異なる方向に向かう吹出し流Ｓ'及びＳ''となって、室内Ｅへ吹出す。これによって、空気吹出し口１３から吹出される空調済空気は、空気吹出し口１３の長手方向にわたって異なる角度の吹出し流Ｓ'及びＳ''となって室内Ｅへ吹出すことになる。
【００４７】
また、土手部１３ｄの長手方向における外側部１３ｄｏとルーバー２５との距離は、土手部１３ｄの長手方向における中央部１３ｄｃとルーバー２５との距離よりも大きい。そして、土手部１３ｄの長手方向における外側部１３ｄｏにおいては、土手部１３ｄの長手方向における中央部１３ｄｃと比較して、ルーバー２５と土手部１３ｄとの間における流路断面積は滑らかに変化する。
【００４８】
従来は空気吹出し口１３の中央部１３ｄｃからより多くの空調済空気が流れ出ていたが、このような構成によって空調済空気は空気吹出し口１３の外側部１３ｄｏの方により流れやすくなる。これによって、空気吹出し口１３の長手方向における空調済空気の流速分布を従来よりも均一にできる。これらの作用によって、室内Ｅのより広い範囲へまんべんなく空調済空気を行き渡らせることができる。さらに吹出し角度の異なる吹出し流Ｓ'及びＳ''同士が干渉することによって、室内Ｅへ吹出す空調済空気の広がりを早めることができる。
【００４９】
また、図示はしないが、この空調装置の気流制御構造５３においては、実施の形態１〜３で説明したルーバー２０等（図１等参照）と上記土手部１３ｄとを組み合わせてもよい。このようにすると、ルーバー２０等との組み合わせによって空調済空気の吹出し特性を変えることができるので、空調設計の自由度を高くできる。また、ルーバー２０等の種類を変えることによって、部屋ごとに最適な吹出し特性を持たせることもできる。例えば、空調装置を販売するときに、予め何種類かのルーバー２０等を用意しておいて、空調装置を取り付ける部屋の状況に応じてルーバー２０等を交換すれば、その部屋に最適な空気の吹出し特性を持たせることができる。
【００５０】
【発明の効果】
以上説明したように、この発明に係る空調装置のルーバーでは、長手方向に垂直な断面形状をルーバーの長手方向の中央領域と外側領域とで異ならせるようにした。また、この発明に係る空調装置のルーバーでは、ルーバー断面形状の異ならせ方を、ルーバーの長手方向中央領域における長手方向に垂直な断面形状は円弧で構成し、外側領域における長手方向に垂直な断面形状は円弧と直線とで構成した。このため、室内のより広い範囲へまんべんなく空調済空気を行き渡らせることができる。また、吹出し角度の異なる空調済空気の吹出し流が干渉を利用して、空調済空気を迅速に室内へ行き渡らせることができる。また、この空調装置のルーバーを備えた空調装置でも同様の作用・効果を奏する。
【００５１】
また、この発明に係る空調装置のルーバーでは、ルーバーの長手方向に垂直な断面形状は円弧状であって、前記ルーバーの長手方向外側領域における曲率半径は長手方向中央領域における曲率半径よりも大きくした。このため、空調済空気は上記ルーバーよりもさらに滑らかにルーバーの表面に沿って流れるので、上記ルーバーよりもさらに気流の剥離を抑制できる。その結果、空調済空気がルーバーを通過する際の圧力損失をさらに低減できるので、室内のより広い範囲へ空調済空気を行き渡らせることができる。また、この空調装置のルーバーを備えた空調装置でも同様の作用・効果を奏する。
【００５２】
また、この発明に係る空調装置のルーバーでは、ルーバーの長手方向に垂直な断面形状を、ルーバーの長手方向の中央領域から外側領域にかけて徐々に変化するようにした。このため、断面形状が急に変化する部分における吹出し流の乱れがほとんど発生しないので、吹出し流の圧力損失を低減し、室内のより広い範囲へ空調済空気を行き渡らせることができる。また、この空調装置のルーバーを備えた空調装置でも同様の作用・効果を奏する。
【００５３】
また、この発明に係る空調装置のルーバーでは、空気吹出し口の開口部に設けられた土手部の長手方向における外側部との距離が、当該土手部の長手方向における中央部との距離よりも大きくなるように、ルーバーの長手方向に向かって少なくとも１の折り曲げ部を有するようにした。また、この発明に係る空調装置のルーバーでは、さらに上記空調装置のルーバーを組み合わせた。このため、空気吹出し口の長手方向における吹き出し流の流速分布をより一定にできるので、室内のより広い範囲へまんべんなく空調済空気を行き渡らせることができる。なお、この空調装置のルーバーを備えた空調装置でも同様の作用・効果を奏する。
【００５４】
また、この発明に係る空調装置のルーバーでは、上記空調装置のルーバーにおいて、ルーバーのコード長を一定とした。このため、ルーバーの重量増加を抑えてルーバーを駆動する動力を小さくできるので、空調装置全体でみれば、それだけ消費電力を抑えることができる。また、コード長を一定とすることで、ルーバーの長手方向で断面形状を異ならせてもルーバーの重量バランスを良好にできるので、ルーバーを滑らかに動かすことができる。また、この空調装置のルーバーを備えた空調装置でも同様の作用・効果を奏する。
【００５５】
また、この発明に係る空調装置の気流制御構造では、空気吹出し口の開口部に設けられた土手部は、この土手部の長手方向の外側部における水平方向に対する傾き角度を、前記土手部の長手方向の中央部における傾き角度よりも大きくした。これによって、空気吹出し口の中央部よりも外側部の方へ空調済空気が流れやすくなるので、空気吹出し口の長手方向における空調済空気の流速分布をより一定にできる。その結果、室内のより広い範囲へまんべんなく空調済空気を行き渡らせることができる。また、この空調装置の気流制御構造を備えた空調装置でも同様の作用・効果を奏する。
【００５６】
また、この発明に係る空調装置の気流制御構造では、上記空調装置の気流制御構造に、上記空調装置の気流制御用ルーバーを備えるようにした。このため、ルーバーとの組み合わせによって空調済空気の吹出し特性を変えることができるので、空調設計の自由度を高くできる。なお、この空調装置の気流制御構造を備えた空調装置でも同様の作用・効果を奏する。
【図面の簡単な説明】
【図１】この発明の実施の形態１に係る空調装置の気流制御構造を示す平面図である。
【図２】図１のＸ−Ｘ線矢視の断面図である。
【図３】この発明の実施の形態１に係る空調装置のルーバーを示す説明図である。
【図４】この発明の実施の形態１に係る空調装置の気流制御構造を示す拡大図である。
【図５】この発明の実施の形態２に係る空調装置のルーバーを示す説明図である。
【図６】この発明の実施の形態２に係る空調装置の気流制御構造を示す拡大図である。
【図７】本発明の実施の形態３に係る空調装置のルーバーを示す説明図である。
【図８】本発明の実施の形態３に係る空調装置の気流制御構造の説明図である。
【図９】実施の形態３の変形例に係る空調装置のルーバーを示す説明図である。
【図１０】実施の形態３の他の変形例に係るルーバーを示したルーバーの短手方向に垂直な断面図である。
【図１１】本発明の実施の形態４に係る空調装置の気流制御構造を示す説明図である。
【図１２】特開平７−３２４８０２号公報に開示されたルーバーを示す斜視図である。
【符号の説明】
１２、１３  空気吹出し口
１２ｄ、１３ｄ  土手部
１３ｄｏ  外側部
１５  空気吸込口
２０、２１、２２、２３、２５  ルーバー
２０ｃ、２１ｃ  中央領域
２０ｍ  円弧部分
２０ｏ、２１ｏ  外側領域
２０ｓ  直線部分
５０、５１、５２、５３  気流制御構造
１００  空調装置
【図１】
0003820182.tif 000002
【図２】
0003820182.tif 000003
【図３】
0003820182.tif 000004
【図４】
0003820182.tif 000005
【図５】
0003820182.tif 000006
【図６】
0003820182.tif 000007
【図７】
0003820182.tif 000008
【図８】
0003820182.tif 000009
【図９】
0003820182.tif 000010
【図１０】
0003820182.tif 000011
【図１１】
0003820182.tif 000012
【図１２】
0003820182.tif 000013